(57)【要約】  電池部の温度を検出する温度検出部と、電池部の電圧を検出する電圧検出部と、温度検出部により検出される温度情報および電圧検出部により検出される電圧情報に基づいて、出力の制御を行う制御部とを有するオーディオ信号再生装置である。図９
2018135182.tif 000002
【特許請求の範囲】
【請求項１】
電池部の温度を検出する温度検出部と、
電池部の電圧を検出する電圧検出部と、
前記温度検出部により検出される温度情報および前記電圧検出部により検出される電圧情報に基づいて、出力の制御を行う制御部と
を有するオーディオ信号再生装置。
【請求項２】
前記制御部は、
前記電池部の温度と出力の制御を行うための制御情報とが対応付けられた第１のテーブルと、前記電池部の電圧と出力の制御を行うための制御情報とが対応付けられた第２のテーブルとを参照して出力の制御を行う
請求項１に記載のオーディオ信号再生装置。
【請求項３】
前記制御部は、
前記第１のテーブルを参照して前記温度検出部により検出された温度情報に対応する第１の制御情報を取得し、
前記第２のテーブルを参照して前記電圧検出部により検出された電圧情報に対応する第２の制御情報を取得し、
前記第１の制御情報および前記第２の制御情報のうち、制御の効果が大きくなる制御情報を選択し、選択した制御情報に基づいて出力の制御を行う
請求項２に記載のオーディオ信号再生装置。
【請求項４】
前記電池部の温度に対応して複数の前記第２のテーブルが設定され、
前記制御部は、
前記複数の第２のテーブルの中から、前記温度検出部により検出された温度情報に対応する第２のテーブルを参照する
請求項２に記載のオーディオ信号再生装置。
【請求項５】
前記制御部は、出力の制御として、オーティオ信号のレベルを変更する
請求項１に記載のオーディオ信号再生装置。
【請求項６】
前記制御部は、出力の制御として、オーディオ信号のレベルが閾値以上の場合に、当該オーディオ信号のレベルを前記閾値内に圧縮する
請求項１に記載のオーディオ信号再生装置。
【請求項７】
前記電池部を有する
請求項１に記載のオーディオ信号再生装置。
【請求項８】
前記電池部は、温度の変化に伴って内部インピーダンスが変化する特性を有する
請求項７に記載のオーディオ信号再生装置。
【請求項９】
前記電池部は、リチウムイオン二次電池から構成されている
請求項８に記載のオーディオ信号再生装置。
【請求項１０】
他の機器と通信を行う通信部を有する
請求項１に記載のオーディオ信号再生装置。
【請求項１１】
温度検出部が、電池部の温度を検出し、
電圧検出部が、前記電池部の電圧を検出し、
制御部が、前記温度検出部により検出された温度情報および前記電圧検出部により検出された電圧情報に基づいて出力の制御を行う
オーディオ信号再生装置における制御方法。
【請求項１２】
前記制御部は、
前記電池部の温度と出力の制御を行うための制御情報とが対応付けられた第１のテーブルと、前記電池部の電圧と出力の制御を行うための制御情報とが対応付けられた第２のテーブルとを参照して出力の制御を行い、
前記電池部の温度に対応して設定される複数の前記第２のテーブルの中から、前記温度検出部により検出された温度情報に対応する第２のテーブルを参照する
請求項１１に記載の制御方法。
【請求項１３】
前記制御部は、出力の制御として、オーティオ信号のレベルを変更する
請求項１１に記載の制御方法。
【請求項１４】
前記制御部は、出力の制御として、オーディオ信号のレベルが閾値以上の場合に、当該オーディオ信号のレベルを前記閾値内に圧縮する
請求項１１に記載の制御方法。
【発明の詳細な説明】
【技術分野】
【０００１】
本開示は、オーディオ信号再生装置および制御方法に関する。
【背景技術】
【０００２】
電池により駆動されるアンプ（例えば、オーディオ信号を増幅するためのオーディオアンプ）では、オーディオアンプの使用に伴って当該電池の残容量が低下する。したがって、オーディオアンプが適用されるオーディオ装置の連続稼働時間を長くするためには、電池の残容量に応じた制御を実行することが望まれる。例えば、下記の特許文献１には、電池電圧の低下に応じて音圧レベルをクリップするクリップレベルを低下させるようにしたオーディオ装置が記載されている。
【先行技術文献】
【特許文献】
【０００３】
【特許文献１】特開２０１６−５４４３８号公報
【発明の概要】
【発明が解決しようとする課題】
【０００４】
ところで、一般に、電池は使用に応じて発熱し温度が変動する。特許文献１に記載のオーディオ装置では、電池の温度が仕様の範囲を逸脱した場合でもオーディオ信号の再生を行うことになり、電池の劣化が進行してしまうおそれがある。【０００５】
したがって、本開示は、電池電圧だけでなく、電池の温度も考慮して出力の制御を行うオーディオ信号再生装置および制御方法を提供することを目的の一つとする。
【課題を解決するための手段】
【０００６】
本開示は、例えば、
電池部の温度を検出する温度検出部と、
電池部の電圧を検出する電圧検出部と、
温度検出部により検出される温度情報および電圧検出部により検出される電圧情報に基づいて、出力の制御を行う制御部と
を有するオーディオ信号再生装置である。【０００７】
また、本開示は、
温度検出部が、電池部の温度を検出し、
電圧検出部が、電池部の電圧を検出し、
制御部が、温度検出部により検出された温度情報および電圧検出部により検出された電圧情報に基づいて出力の制御を行う
オーディオ信号再生装置における制御方法である。
【発明の効果】
【０００８】
本開示の少なくとも実施形態によれば、電池の温度も考慮した出力の制御を行うことができる。なお、ここに記載された効果は必ずしも限定されるものではなく、本開示中に記載されたいずれの効果であってもよい。また、例示された効果により本開示の内容が限定して解釈されるものではない。
【図面の簡単な説明】
【０００９】
【図１】図１は、一実施形態に係るオーディオ信号再生装置の構成例を示すブロック図である。
【図２】図２は、一実施形態に係る電池部の特性を説明するためのグラフである。
【図３】図３Ａ、図３Ｂは、一実施形態に係るオーディオ信号再生装置において考慮すべき問題を説明するための図である。
【図４】図４Ａ、図４Ｂは、一実施形態に係るオーディオ信号再生装置において考慮すべき問題を説明するための図である。
【図５】図５は、第１の制御例の内容を説明するための図である。
【図６】図６は、第２の制御例の内容を説明するための図である。
【図７】図７は、第３の制御例の内容を説明するための図である。
【図８】図８は、第４の制御例の内容を説明するための図である。
【図９】図９は、第５の制御例を説明するための図である。
【図１０】図１０は、第５の制御例の内容を説明するための図である。
【図１１】図１１は、第５の制御例の内容を説明するための図である。
【発明を実施するための形態】
【００１０】
以下、本開示の実施形態等について図面を参照しながら説明する。なお、説明は以下の順序で行う。
＜１．一実施形態＞
＜２．変形例＞
以下に説明する実施形態等は本開示の好適な具体例であり、本開示の内容がこれらの実施形態等に限定されるものではない。
【００１１】
＜１．一実施形態＞
［オーディオ信号再生装置の構成例］
始めに、オーディオ信号再生装置の構成例について説明する。本実施形態に係るオーディオ信号再生装置は、例えば携帯可能な程度の大きさであり、オーディオ信号を再生できるスピーカ装置（ワイヤレススピーカ等と称される。）である。
【００１２】
図１は、本実施形態に係るオーディオ信号再生装置（オーディオ信号再生装置１）の構成例を示すブロック図である。オーディオ信号再生装置１は、制御部１０と、デジタル信号処理部１１と、入力端子１２と、Ａ／Ｄ(Analog to Digital)変換部１３と、アンプ１４Ｌと、アンプ１４Ｒと、スピーカユニット１５Ｌと、スピーカユニット１５Ｒと、通信部１６と、ＬＥＤ(Light Emitting Diode)ドライバ１７と、ＬＥＤ１８と、電池ユニット２０とを有している。
【００１３】
制御部１０は、例えばＣＰＵ（Central Processing Unit）により構成されており、オーディオ信号再生装置１の各部を制御する。制御部１０は、制御部１０により実行されるプログラムが格納されたＲＯＭ(Read Only Memory)やワークエリアとして用いられるＲＡＭ(Random Access Memory)等を有している。詳細は後述するが、制御部１０は、電池ユニット２０から供給される温度情報および電圧情報に基づいて、オーディオ信号再生装置１の出力を制御する。
【００１４】
デジタル信号処理部１１は、例えばＤＳＰ(Digital Signal Processor)により構成されている。デジタル信号処理部１１は、オーディオ信号の音圧レベルを一律に調整（変更）する機能（ボリューム調整機能）や、オーディオ信号の周波数特性を補正する機能や、音圧レベルがリミット値以上の場合に当該音圧レベルをリミット値の範囲内に圧縮（抑圧）する機能（以下、ＤＲＣ(Dynamic Range Compression)と適宜、称する）等を有している。デジタル信号処理部１１は、制御部１０の制御に応じて、上述した機能を適宜、実行する。
【００１５】
入力端子１２は、オーディオ信号再生装置１と外部の電子機器とを有線により接続するための端子である。外部の電子機器としては、スマートフォンやテレビジョン受信装置、ＣＤ（Compact Disc）、ＤＶＤ(Digital Versatile Disc)、ＢＤ（Blu-ray（登録商標）Disc）等の再生装置を挙げることができる。例えば、２チャンネルのオーディオ信号が入力端子１２を介してオーディオ信号再生装置１に入力可能な構成とされている。
【００１６】
Ａ／Ｄ変換部１３は、入力端子１２を介して取り込まれたアナログオーディオ信号をデジタルオーディオ信号に変換する。
【００１７】
デジタル信号処理部１１による信号処理が施されたオーディオ信号のうち、Ｌ(Left)チャンネルのオーディオ信号がアンプ１４Ｌに供給される。アンプ１４Ｌは、供給されるオーディオ信号を所定の増幅率をもって増幅し、増幅したオーディオ信号をスピーカユニット１５Ｌに供給する。デジタル信号処理部１１による信号処理が施されたオーディオ信号のうち、Ｒ(Right)チャンネルのオーディオ信号がアンプ１４Ｒに供給される。アンプ１４Ｒは、供給されるオーディオ信号を所定の増幅率をもって増幅し、増幅したオーディオ信号をスピーカユニット１５Ｒに供給する。出力部としてのスピーカユニット１５Ｌ、１５Ｒからオーディオ信号が再生される。
【００１８】
通信部１６は、所定の無線通信規格に対応した無線による通信を外部の電子機器と行う。外部の電子機器としては、パーソナルコンピュータやスマートフォン、携帯型のオーディオ再生装置等を挙げることができる。また、所定の無線通信規格としては、無線ＬＡＮ(Local Area Network)やＢｌｕｅｔｏｏｔｈ（登録商標）、ＷｉＦｉ（登録商標）、赤外線による通信等を挙げることができる。例えば、通信部１６により外部の電子機器から２チャンネルのオーディオ信号が受信される。通信部１６は、オーディオ信号に対して復調処理、エラー訂正処理、Ａ／Ｄ変換処理等を行う。これらの処理が施されたオーディオ信号が制御部１０を介してデジタル信号処理部１１に供給される。
【００１９】
ＬＥＤドライバ１７は、制御部１０による制御に応じて、ＬＥＤ１８の発光を制御する回路である。ＬＥＤ１８は、赤色、青色等のダイオードである。ＬＥＤドライバ１７は、例えば、通信部１６が外部の電子機器と通信を行う際にＬＥＤ１８を発光させる。ＬＥＤ１８を複数のＬＥＤにより構成し、後述する電池部の残容量に応じて、発光させる複数のＬＥＤの数を変化させるようにしてもよい。
【００２０】
電池ユニット２０は、電池部（バッテリー）２１と、電池部２１に接続される充放電回路２２とを有している。
【００２１】
電池部２１は、例えば充電可能な二次電池である。本実施形態では、電池部２１をリチウムイオン二次電池として説明する。本実施形態に係るリチウムイオン二次電池は、例えば円筒形状を有している。１個当たりのリチウムイオン二次電池（単セル）の平均的な出力は３．７Ｖ（ボルト）程度である。また、例えば２．７Ｖ〜４．２Ｖが通常の使用領域とされている。また、電池部２１の使用温度範囲は、例えば、０℃〜６０℃とされている。電池部２１は、例えば２個のリチウムイオン二次電池の単セルが直列に接続された構成を有している。もちろん、電池部２１を構成するリチウムイオン二次電池のセル数やセルの接続構成は適宜、変更することができる。
【００２２】
電池部２１からオーディオ信号再生装置１の各部に対して電力が供給される。例えば、制御部１０やデジタル信号処理部１１、アンプ１４Ｌ、１４Ｒ等を駆動するための電力が電池部２１から供給される。なお、ＤＣ(Direct Current)−ＤＣコンバータ、レギュレータ等により、電池部２１の出力が適宜、変換されて各部に供給されるようにしてもよい。
【００２３】
電池部２１は内部に抵抗を有している（電池部２１の内部インピーダンス）。この内部インピーダンスは、温度に応じてその値が変化する。図２は、本実施形態に係る電池部２１における、温度と内部インピーダンスとの関係例を示すグラフである。図２のグラフにおいて、横軸はリチウムイオン二次電池セルの温度（℃）を示しており、縦軸はリチウムイオン二次電池セルの内部インピーダンス（Ω）を示している。図２に示すように、リチウムイオン二次電池の内部インピーダンスは温度に応じて変化し、内部インピーダンスは温度が低いほど大きくなる。
【００２４】
図１に戻り説明する。充放電回路２２は、電池部２１の充放電を制御する回路である。充放電回路２２は、例えば、ＦＥＴ(Field effect transistor)等のスイッチング素子から成る放電制御スイッチおよび充電制御スイッチ等を有するほか、電圧検出部２２Ａと、電流検出部２２Ｂと、温度検出部２２Ｃとを有している。電圧検出部２２Ａは、電池部２１の電圧を検出する。電流検出部２２Ｂは、例えば電流検出抵抗であり、充放電回路２２に流れる電流を検出する。温度検出部２２Ｃは、サーミスタ等の温度検出素子であり、電池部２１の温度を検出する。各検出部で検出した電圧、電流、温度は、制御部１０が周期的に電圧等を検出する。制御部１０は、例えば、１００ｍｓ（ミリ秒）毎に電圧等を検出する。
【００２５】
電圧検出部２２Ａが電池部２１の電圧を検出することにより、電圧を示す情報（以下、電圧情報と適宜、称する）が得られる。電流検出部２２Ｂが充放電回路２２に流れる電流を検出することにより、電流を示す情報（以下、電流情報と適宜、称する）が得られる。温度検出部２２Ｃが電池部２１の温度を検出することにより、温度を示す情報（以下、温度情報と適宜、称する）が得られる。これらの電圧情報、電流情報、温度情報等は、電池部２１の過充電、過放電、過電流、異常発熱を防止するための公知の保護動作において用いられる。電池部２１の保護動作は、制御部１０により行われてもよいし、電池ユニット２０内のマイクロコンピュータによって行われてもよい。温度情報および電圧情報は、電池ユニット２０から制御部１０に対して供給され、後述する出力の制御において用いられる。
【００２６】
なお、構成の図示は省略しているが、オーディオ信号再生装置１を商用電源やパーソナルコンピュータ等に対して接続することにより、それらから供給される電力で電池部２１を充電できるように構成されている。
【００２７】
［オーディオ信号再生装置の動作例］
次に、オーディオ信号再生装置１の通常の動作例について説明する。オーディオ信号再生装置１に対して、オーディオ信号が入力端子１２または通信部１６を介して入力される。オーディオ信号がＡ／Ｄ変換部１３若しくは通信部１６によりデジタル形式のオーディオ信号に変換される。変換後のオーディオ信号に対してデジタル信号処理部１１による信号処理が施される。デジタル信号処理部１１による信号処理が施されたオーディオ信号のうち、Ｌチャンネルのオーディオ信号がアンプ１４Ｌに供給される。そして、アンプ１４Ｌにより所定の増幅率をもって増幅されたオーディオ信号がスピーカユニット１５Ｌから再生される。デジタル信号処理部１１による信号処理が施されたオーディオ信号のうち、Ｒチャンネルのオーディオ信号がアンプ１４Ｒに供給される。アンプ１４Ｒにより所定の増幅率をもって増幅されたオーディオ信号がスピーカユニット１５Ｒから再生される。
【００２８】
［オーディオ信号再生装置において考慮すべき問題］
ここで、図３および図４を参照して、オーディオ信号再生装置１において考慮すべき問題について説明する。図３Ａ、図３Ｂ、図４Ａ、図４Ｂの各図における横軸は時間軸を示し、縦軸は電池部２１の電圧を示している。また、図３Ａ、図３Ｂにおける電池仕様電圧とは電池部２１の電圧が過放電とならない程度の閾値であり、電池部２１が単セルであれば例えば２．５Ｖである。また、図４Ａ、図４Ｂにおけるシステムダウン電圧とは制御部１０等を動作させるために必要な動作電圧であり、例えば３．３Ｖまたは５Ｖである。電池部２１の電圧がシステムダウン電圧を下回ると、制御部１０等のオーディオ信号再生装置１のシステムがダウンするおそれがある。
【００２９】
電池部２１は、上述したように内部インピーダンスを有しており、電池部２１から取り出される電流に応じて電池部２１の電圧が降下する、すなわち、電圧降下（電圧ドロップ）が生ずる。ここで、ソースとしてのオーディオ信号に音圧レベルが大きな出力領域が存在し、当該出力領域で音響出力が行われる場合、スピーカユニット１５Ｌ、１５Ｒに流れる負荷電流Ｉが増大する。この場合、負荷電流Ｉが電池部２１から供給されることにより内部抵抗Ｒでの電圧降下（Ｖ＝ＲＩ）が大きくなる。この電圧降下により、図３Ａ、図４Ａに示すように、電池部２１の電圧が電池仕様電圧やシステムダウン電圧を下回るおそれがある。このため、図３Ｂ、図４Ｂに模式的に示すように、オーディオ信号再生装置１の出力を適切に制御することにより、電圧降下を抑制することが望まれる。以下、このような観点に基づいてなされたオーディオ信号再生装置１における出力制御の具体例について説明する。
【００３０】
［温度情報に基づく出力の制御例］
始めに、温度情報に基づく出力の制御例として、第１の制御例および第２の制御例について説明する。第１の制御例は、温度情報に基づいて、オーディオ信号のボリューム値を変化させる例である。図５は、第１の制御例を説明するための図である。図５を参照して第１の制御例について説明する。
【００３１】
図５において、電池部２１の温度が０℃〜４２℃の範囲では、ボリューム値に対するゲインを変化しない。例えば、オーディオ信号の音圧レベルが大きくなることにともなってアンプ１４Ｌ、１４Ｒへの負荷電流が増加し、電池部２１が発熱する。そして、温度検出部２２Ｃにより検出される電池部２１の温度が閾値（例えば、４２℃）を超えたとする。この場合、制御部１０はデジタル信号処理部１１に対して現在のボリューム値に対するゲインを−０．５ｄＢ（デシベル）に設定する旨を指示する。ゲインの値は適宜な値とすることができるが、リスナーがボリュームの変化を聴覚的に気づきにくい値とすることが好ましい。本制御を、例えば３分間隔で繰り返す。例えば、３分後にはゲインが−１．０ｄＢに設定される。このようにボリューム値を徐々に小さくする。但し、−６ｄＢを制限値とする。デジタル信号処理部１１は、設定されたゲインに基づいて、オーディオ信号のボリュームを変更する。
【００３２】
上述した制御によってもなお電池部２１の温度が上昇したとする。例えば、温度検出部２２Ｃにより検出される電池部２１の温度が他の閾値（例えば、５０℃）を超えたとする。この場合、制御部１０はデジタル信号処理部１１に対してその時点でのボリューム値に対するゲインを−２ｄＢに設定する旨を指示する。ボリューム値に対するゲインが−２ｄＢの場合ではリスナーがボリュームの変化を聴覚的に気づきやすくなるものの、ここでは電池部２１の温度を下げることを優先した値としている。本制御を、例えば３分間隔で繰り返す。例えば、３分後にはゲインが−４．０ｄＢに設定される。電池部２１の温度を下げることを優先するため制限値は設定されていない。なお、上述した制御を行うことにより負荷電流が小さくなるため一般的に電池部２１の温度は低下する。しかしながら、電池部２１の温度が例外的に６０℃に達した場合は、オーディオ信号再生装置１の動作を停止させる制御が行われる。
【００３３】
上述した制御に応じて電池部２１の温度が低下したとする。例えば、温度検出部２２Ｃにより検出される電池部２１の温度が閾値（例えば、４０℃）以下となったとする。電池部２１の温度が低下したか否かの判断で用いられる閾値は、電池部２１の温度が上昇したか否かの判断で用いられる閾値（上述した４２℃）に対してヒステリシスをもたせている。これにより、ボリューム値が頻繁に変化することを防止することができる。
【００３４】
温度検出部２２Ｃにより検出される電池部２１の温度が４０℃以下となった場合には、制御部１０はデジタル信号処理部１１に対してその時点でのボリューム値に対するゲインを＋０．５ｄＢに設定する旨を指示する。本制御を、例えば、３分間隔で繰り返し、ボリューム値を徐々に大きくする。そして、上述した４２℃以上になった時点でのボリューム値（初期のボリューム値）までボリューム値を戻した時点で本制御を停止する。なお、ボリューム値を大きくする制御の途中で電池部２１の温度が４２℃を超えた場合には、上述したボリューム値を小さくする制御が行われる。
【００３５】
第２の制御例は、温度情報に基づいて、ＤＲＣにおけるリミット値を変化させる例である。図６は、第２の制御例を説明するための図である。
【００３６】
図６において、電池部２１の温度が０℃〜４２℃の範囲では、リミット値を変化しない、換言すれば、ＤＲＣがかかっていない状態と等価な状態であり、フルスケールのオーディオ信号が再生される。例えば、オーディオ信号の音圧レベルが大きくなることにともなってアンプ１４Ｌ、１４Ｒへの負荷電流が増加し、電池部２１が発熱する。そして、温度検出部２２Ｃにより検出される電池部２１の温度が閾値（例えば、４２℃）を超えたとする。この場合、制御部１０はデジタル信号処理部１１に対してＤＲＣにおけるリミット値を現在のリミット値から−０．５ｄＢに設定する旨を指示する。設定されるリミット値は、適宜な値とすることができるが、リスナーがＤＲＣによる圧縮効果を聴覚的に気づきにくい値とすることが好ましい。本制御を、例えば３分間隔で繰り返す。例えば、３分後にはＤＲＣのリミット値が−１．０ｄＢに設定され、ＤＲＣの効果が徐々に大きくなる。但し、−６ｄＢを制限値とする。
【００３７】
上述した制御によってもなお電池部２１の温度が上昇したとする。例えば、温度検出部２２Ｃにより検出される電池部２１の温度が閾値（例えば、５０℃）を超えたとする。この場合、制御部１０はデジタル信号処理部１１に対してその時点でのリミット値から−１ｄＢにリミット値を設定する旨を指示する。この場合ではリスナーがＤＲＣによる圧縮効果に気づきやすくなるものの、ここでは電池部２１の温度を下げることを優先した値としている。本制御を、例えば３分間隔で繰り返し、リミット値を変化させＤＲＣの圧縮効果を大きくする。なお、電池部２１の温度を下げることを優先するため、制限値は設定していない。上述した制御を行うことにより負荷電流が小さくなるため一般的に電池部２１の温度は低下する。しかしながら、電池部２１の温度が６０℃に達した場合は、オーディオ信号再生装置１の動作を停止させる制御が行われる。
【００３８】
上述した制御に応じて電池部２１の温度が低下したとする。例えば、温度検出部２２Ｃにより検出される電池部２１の温度が閾値（例えば、４０℃）以下となったとする。第１の制御例と同様に、電池部２１の温度が低下したか否かの判断で用いられる閾値は、電池部２１の温度が上昇したか否かの判断で用いられる閾値（上述した４２℃）に対してヒステリシスをもたせている。これにより、ＤＲＣにおけるリミット値が頻繁に変化することを防止することができる。
【００３９】
温度検出部２２Ｃにより検出される電池部２１の温度が４０℃以下となった場合には、制御部１０はデジタル信号処理部１１に対してその時点でのリミット値から＋０．５ｄＢにリミット値を設定する旨を指示する。本制御を、例えば、３分間隔で繰り返し、リミット値を徐々に大きくする。そして、上述した４２℃以上になった時点でのリミット値までリミット値を戻した時点で本制御を停止する。なお、リミット値を戻す制御の途中で電池部２１の温度が４２℃を超えた場合には、上述したＤＲＣの効果を大きくする制御が行われる。
【００４０】
以上説明したように、温度情報に基づいて出力の制御を行うことにより、電池部２１の温度が使用温度範囲を超えてしまうことを防止することができる。
【００４１】
［電圧情報に基づく出力の制御例］
次に、電圧情報に基づく出力の制御例として、第３の制御例および第４の制御例について説明する。なお、第３、第４の制御例では、電池部２１が、２個のリチウムイオン二次電池が直列に接続された構成を有するものとして説明する。
【００４２】
第３の制御例は、電圧情報に基づいて、オーディオ信号のボリューム値の最大値（以下、最大ボリューム値と適宜、称する）を変化させる例である。なお、ボリューム値の設定は０〜５０のステップで変更できるものとして説明する。
【００４３】
図７は、第３の制御例を説明するための図である。図７を参照して第３の制御例について説明する。図７に示すように、電池部２１の残容量が７．２Ｖ〜８．２Ｖの範囲では、ゲイン＝０ｄＢとし、最大ボリューム値を変更しない。電池部２１の残容量が６．８Ｖ〜７．２Ｖ未満の範囲では、最大ボリューム値を−０．５ｄＢに設定する。電池部２１の残容量が６．６Ｖ〜６．８Ｖ未満の範囲では、最大ボリューム値を−１．０ｄＢに設定する。電池部２１の残容量が６．４Ｖ〜６．６Ｖ未満の範囲では、最大ボリューム値を−２．０ｄＢに設定する。電池部２１の残容量が６．２Ｖ〜６．４Ｖ未満の範囲では、最大ボリューム値を−４．０ｄＢに設定する。電池部２１の残容量が６．０Ｖ〜６．２Ｖ未満の範囲では、最大ボリューム値を−６．０ｄＢに設定する。電池部２１の残容量が５．０Ｖ〜６．０Ｖ未満の範囲では、最大ボリューム値を−１２ｄＢに設定する。
【００４４】
本制御により、電池部２１の残容量の低下に応じて最大ボリューム値の制限が大きくなるため、オーディオ信号の音圧レベルが大きい場合でもアンプ１４Ｌ、１４Ｒに流れる負荷電流を小さくすることができ、電圧降下を小さくすることができる。したがって、電池部２１の電圧が仕様電圧やシステムダウン電圧を下回ることを防止することができる。
【００４５】
オーディオ信号再生装置１に対して充電がなされ、電池部２１の電圧が上昇（回復）した場合には、当該電圧に応じてゲインが再設定され、最大ボリューム値の制限を緩和する制御が行われる。なお、本制御では最大ボリューム値を制限するため、ボリュームに関するＵＩ(User Interface)を変更するようにしてもよい。例えば、最大ボリューム値が５０ｄＢの場合で、上述した制御により設定されたゲインが−１２ｄＢの場合には、３８ｄＢと表示されるようにＵＩを変更してもよい。
【００４６】
第４の制御例は、電圧情報に基づいて、ＤＲＣのリミット値を変化させる例である。図８は、第４の制御例を説明するための図である。図８を参照して第４の制御例について説明する。
【００４７】
電池部２１の電圧が７．２Ｖ〜８．２Ｖの範囲では、リミット値を変化しない、換言すれば、フルスケールのオーディオ信号がそのまま再生される。電池部２１の残容量が６．８Ｖ〜７．２Ｖ未満の範囲では、リミット値を−０．５ｄＢに設定する。電池部２１の残容量が６．６Ｖ〜６．８Ｖ未満の範囲では、リミット値を−１．０ｄＢに設定する。電池部２１の残容量が６．４Ｖ〜６．６Ｖ未満の範囲では、リミット値を−２．０ｄＢに設定する。電池部２１の残容量が６．２Ｖ〜６．４Ｖ未満の範囲では、リミット値を−４．０ｄＢに設定する。電池部２１の残容量が６．０Ｖ〜６．２Ｖ未満の範囲では、リミット値を−６．０ｄＢに設定する。電池部２１の残容量が５．０Ｖ〜６．０Ｖ未満の範囲では、リミット値を−１２ｄＢに設定する。
【００４８】
本制御により、電池部２１の残容量の低下に応じてＤＲＣによるオーディオ信号の圧縮効果が大きくなり、オーディオ信号の音圧レベルが大きい場合に当該音圧レベルを圧縮することができる。したがって、アンプ１４Ｌ、１４Ｒに流れる負荷電流を小さくすることができ、電圧降下を小さくすることができる。したがって、電圧降下により電池部２１の電圧が仕様電圧やシステムダウン電圧を下回ることを防止することができる。
【００４９】
オーディオ信号再生装置１に対して充電がなされ、電池部２１の電圧が上昇（回復）した場合には、当該電圧に応じてリミット値が再設定され、ＤＲＣによる圧縮効果を緩和する制御が行われる。
【００５０】
［温度情報および電圧情報に基づく出力の制御例］
次に、温度情報および電圧情報に基づく出力の制御例（第５の制御例）について図９、図１０および図１１を参照して説明する。第５の制御例では、出力の制御としてＤＲＣによるオーディオ信号の制御を例にして説明するが、第１の制御例のようにオーディオ信号のボリューム制御であっても構わない。
【００５１】
制御部１０は、出力の制御を行うための制御情報と温度とが対応付けられた第１のテーブルを有している。また、制御部１０は、出力の制御を行うための制御信号と電圧とが対応付けられた第２のテーブルを有している。
【００５２】
図９Ａは、第１のテーブルの一例であるテーブルＴＡ１を示している。図９Ａに示すようにテーブルＴＡ１には、電池部２１の温度と、制御情報の一例であるＤＲＣのリミット値とが対応付けられて記述されている。温度は適宜な範囲で区分されており、各区分に対応して状態番号（ステイト）が付与されている。
【００５３】
図９Ｂは、第２のテーブルの一例であるテーブルＴＡ２を示している。図９Ｂに示すようにテーブルＴＡ２には、電池部２１の電圧と、ＤＲＣのリミット値とが対応付けられて記述されている。電圧は適宜な範囲で区分されており、各区分に対応して状態番号（ステイト）が付与されている。テーブルＴＡ１、ＴＡ２は、例えば、制御部１０が有するＲＡＭに記憶されている。
【００５４】
制御部１０は、テーブルＴＡ１とテーブルＴＡ２とを参照して出力の制御を行う。例えば、電池ユニット２０から制御部１０に対して、電池部２１の温度情報として２０℃、電池部２１の電圧情報として６．０Ｖが供給されたとする。制御部１０は、テーブルＴＡ１を参照して、温度情報２０℃に対応する制御情報を取得する。本例では、制御情報として０ｄＢが取得される。また、制御部１０は、テーブルＴＡ２を参照して、電圧情報６．０Ｖに対応する制御情報を取得する。本例では、制御情報として−４．０ｄＢが取得される。
【００５５】
制御部１０は、取得した２個の制御情報を比較し条件の厳しい方、換言すれば、ＤＲＣの効果が大きくなる制御情報を選択する。本例では、２個の制御情報はそれぞれ０ｄＢ、−４．０ｄＢであることから、−４．０ｄＢが選択される。制御部１０は、選択した制御情報をデジタル信号処理部１１に設定する。デジタル信号処理部１１は、制御部１０により選択された制御情報に基づいて、オーディオ信号に対する処理を行う。なお、制御情報の値が同一の場合は、どちらを選択してもよい。
【００５６】
以上説明したように、効果が大きい制御情報に基づいた制御が行われるので、電池部２１の温度が使用温度範囲を超えてしまったり、電圧降下により電池部２１の電圧が仕様電圧やシステムダウン電圧を下回ることを防止することができる。
【００５７】
なお、図２を参照して説明したように、電池部２１の内部インピーダンスは、電池部２１の温度が低温であるほど大きくなる。内部インピーダンスが大きくなる分、電圧降下が大きくなる。したがって、電池部２１の温度が低温である場合には、電池部２１の温度よりも電池部２１の残容量に応じた制御が行われることが好ましい。一方で、電池部２１の温度が高い場合には、電池部２１の内部インピーダンスは小さくなる。内部インピーダンスが小さくなる分、電圧降下が小さくなる。したがって、電池部２１の温度が高温である場合には、電池部２１の残容量よりも電池部２１の温度に応じた制御が行われることが好ましい。かかる点に鑑みて、本実施形態では、複数の第２のテーブルを用意し、電池部２１の温度情報に応じて制御部１０が参照するテーブルを切り替えるようにしている。
【００５８】
図１０Ａは、上述したテーブルＴＡ１を示す。図１０Ｂは、電池部２１の温度情報が０℃である場合に用いられるテーブルＴＡ２ａを示す。テーブルＴＡ２ａには、電池部２１の残容量が小さい場合にＤＲＣによる制御の効果が大きくなるように、制御情報が記述されている。例えば、状態番号６（電池部２１の電圧（Ｖｂａｔ）が６．０≦Ｖｂａｔ＜６．２の範囲）に対応する制御情報は、テーブルＴＡ２では−４．０ｄＢが記述されるのに対し、テーブルＴＡ２ａでは−６．０ｄＢが記述される。テーブルＴＡ２を参照した制御によっては、電池部２１の温度が低温である場合に大きくなる電圧降下により、電池部２１の電圧が仕様電圧やシステムダウン電圧を下回ってしまうおそれがある。しかしながら、電池部２１の温度が低温である場合に制御部１０がテーブルＴＡ２ａを参照することで、電池部２１の残容量に応じた制御を優先的に実現でき、且つ、ＤＲＣの効果が大きくなる制御を実現することができる。このため電圧降下が大きくなる場合でも、電池部２１の電圧が仕様電圧やシステムダウン電圧を下回ることを防止することができる。
【００５９】
図１１Ａは、上述したテーブルＴＡ１を示す。図１１Ｂは、電池部２１の温度情報が５５℃である場合に用いられるテーブルＴＡ２ｂを示す。テーブルＴＡ２ｂには、電池部２１の残容量が小さい場合でもＤＲＣによる制御の効果がそれほど大きくならないように、制御情報が記述されている。例えば、状態番号６（電池部２１の電圧（Ｖｂａｔ）が６．０≦Ｖｂａｔ＜６．２の範囲）に対応する制御情報は、テーブルＴＡ２では−４．０ｄＢが記述されるのに対し、テーブルＴＡ２ｂでは−３．０ｄＢが記述される。
【００６０】
例えば、電池ユニット２０から制御部１０に対して、電池部２１の温度情報として５５℃、電池部２１の電圧情報として６．０Ｖが供給されたとする。制御部１０は、テーブルＴＡ１を参照して、温度情報５５℃に対応する制御情報を取得する。本例では、制御情報として−４．５ｄＢが取得される。また、制御部１０は、テーブルＴＡ２ｂを参照して、電圧情報６．０Ｖに対応する制御情報を取得する。本例では、制御情報として−３．０ｄＢが取得される。
【００６１】
制御部１０は、取得した２個の制御情報を比較し条件の厳しい方、換言すれば、ＤＲＣの効果が大きくなる制御情報を選択する。本例では、２個の制御情報はそれぞれ−４．５ｄＢ、−３．０ｄＢであることから、−４．５ｄＢが選択される。制御部１０は、選択した制御情報をデジタル信号処理部１１に設定する。デジタル信号処理部１１は、制御部１０により選択された制御情報に基づいて、オーディオ信号に対する処理を行う。
【００６２】
上述したように電池部２１の温度が高温である場合には、電池部２１の内部インピーダンスが小さくなるので電圧降下は小さくなる。一方で、電池部２１の温度が高温であるので温度情報に応じた制御が行われることが望ましい。電池部２１の温度が高温である場合に制御部１０がテーブルＴＡ２ｂを参照することで、電池部２１の温度に応じた制御を優先的に実現することができ、電池部２１の温度が使用温度範囲を上回ることを防止することができる。
【００６３】
上述した第５の制御例では、第２のテーブルの一例として３個のテーブル（テーブルＴＡ２、ＴＡ２ａ、ＴＡ２ｂ）を挙げて説明したがこれに限定されるものではない。温度の範囲毎に対応して適宜な数のテーブルを用意して上述した制御に適用することができる。
【００６４】
本実施形態に係るオーディオ信号再生装置１は、少なくとも第５の制御例に対応する制御を行う。残容量が一定以上の場合は、制御を簡略化するために、温度情報のみに応じた制御（例えば、第１または第２の制御例）を行うようにしてもよい。
【００６５】
以上、本開示の一実施形態について説明した。一実施形態によれば、以下の効果が得られる。電池部２１において、初期の条件（電池部の温度や残容量）において出力可能な最大出力が継続した場合、電池部２１の使用温度範囲の上限に達し、当該電池部２１にダメージを与え劣化の進行につながる。しかしながら、一実施形態に係る制御を行うことにより出力部の出力が減じられ、電池部２１の使用温度範囲以上にならないように出力が制御されるため、電池部２１を安全に使用することができる。
【００６６】
また、電池部２１の継続的な使用にともなって電圧が徐々に低下していくことに加えて、出力負荷の増加に応じて、瞬間的な電圧ドロップが発生する。電圧ドロップにより電池部２１が過放電状態に達し、保護回路が働きオーディオ信号再生装置１の動作が停止したり、電池部２１にダメージを与え電池部２１の劣化が進行する。しかしながら、一実施形態に係る制御を行うことにより出力部の出力が減じられ、電圧ドロップにより電池部２１の電圧が仕様電圧を下回らないように出力が制御されるので、電池部２１を安全に使用することができる。また、一実施形態に係る制御を行うことにより出力部の出力が減じられ、電圧ドロップがシステムの動作を維持するためのシステムダウン電圧を下回らないように出力が制御されるので、より長い時間、オーディオ信号再生装置１におけるシステムを駆動することが可能となる。
【００６７】
＜２．変形例＞
以上、本開示の一実施形態について具体的に説明したが、本開示の内容は上述した一実施形態に限定されるものではなく、本開示の技術的思想に基づく各種の変形が可能である。
【００６８】
上述した一実施形態におけるオーディオ信号再生装置において、図示しない構成が追加されてもよい。例えば、操作を受け付ける入力部や表示部が設けられていてもよい。オーディオ信号再生装置は、リモートコントロール装置による遠隔操作が可能であってもよい。オーディオ信号再生装置にＵＳＢ(Universal Serial Bus)メモリ等の可搬型のメモリが挿入される挿入口が設けられていてもよい。出力部はオーディオアンプに限らず、モータを駆動するためのアンプでもよい。
【００６９】
電池部は、リチウムイオン二次電池に限らず、ニッケル水素電池等、他の電池であってもよい。また、電池部の電圧情報は電池部の残容量を示す情報であれば電圧に限定されるものではなく、例えば充電の程度を示すＳＯＣ(State Of Charge)であってもよい。テーブルＴＡ等についても同様であり、制御情報が電圧ではなくＳＯＣに対応付けられていてもよい。
【００７０】
制御部とデジタル信号処理部の機能が１チップのＩＣ(Integrated Circuit)で構成されてもよく、この場合、当該ＩＣが特許請求の範囲における制御部に対応する構成であってもよい。
【００７１】
ＤＲＣは、周波数のバンドを分けてリミット値を制御するマルチバンドＤＲＣと称される機能であってもよい。一実施形態における制御において、特定の周波数に対応する信号（例えば、電池部にとって大きな負荷となる周波数に対応する信号）に対するリミット値のみがコントロールされるようにしてもよい。
【００７２】
上述の実施形態において挙げた構成、方法、工程、形状、材料及び数値などはあくまでも例に過ぎず、必要に応じてこれと異なる構成、方法、工程、形状、材料及び数値などを用いてもよい。上述した実施形態および変形例は、適宜組み合わせることができる。
【００７３】
本開示は、以下の構成も採ることができる。
（１）
電池部の温度を検出する温度検出部と、
電池部の電圧を検出する電圧検出部と、
前記温度検出部により検出される温度情報および前記電圧検出部により検出される電圧情報に基づいて、出力の制御を行う制御部と
を有するオーディオ信号再生装置。
（２）
前記制御部は、
前記電池部の温度と出力の制御を行うための制御情報とが対応付けられた第１のテーブルと、前記電池部の電圧と出力の制御を行うための制御情報とが対応付けられた第２のテーブルとを参照して出力の制御を行う
（１）に記載のオーディオ信号再生装置。
（３）
前記制御部は、
前記第１のテーブルを参照して前記温度検出部により検出された温度情報に対応する第１の制御情報を取得し、
前記第２のテーブルを参照して前記電圧検出部により検出された電圧情報に対応する第２の制御情報を取得し、
前記第１の制御情報および前記第２の制御情報のうち、制御の効果が大きくなる制御情報を選択し、選択した制御情報に基づいて出力の制御を行う
（２）に記載のオーディオ信号再生装置。
（４）
前記電池部の温度に対応して複数の前記第２のテーブルが設定され、
前記制御部は、
前記複数の第２のテーブルの中から、前記温度検出部により検出された温度情報に対応する第２のテーブルを参照する
（２）または（３）に記載のオーディオ信号再生装置。
（５）
前記制御部は、出力の制御として、オーティオ信号のレベルを変更する
（１）〜（４）のいずれかに記載のオーディオ信号再生装置。
（６）
前記制御部は、出力の制御として、オーディオ信号のレベルが閾値以上の場合に、当該オーディオ信号のレベルを前記閾値内に圧縮する
（１）〜（４）のいずれかに記載のオーディオ信号再生装置。
（７）
前記電池部を有する
（１）〜（６）のいずれかに記載のオーディオ信号再生装置。
（８）
前記電池部は、温度の変化に伴って内部インピーダンスが変化する特性を有する
（７）に記載のオーディオ信号再生装置。
（９）
前記電池部は、リチウムイオン二次電池から構成されている
（８）に記載のオーディオ信号再生装置。
（１０）
他の機器と通信を行う通信部を有する
（１）〜（９）のいずれかに記載のオーディオ信号再生装置。
（１１）
温度検出部が、電池部の温度を検出し、
電圧検出部が、前記電池部の電圧を検出し、
制御部が、前記温度検出部により検出された温度情報および前記電圧検出部により検出された電圧情報に基づいて出力の制御を行う
オーディオ信号再生装置における制御方法。
（１２）
前記制御部は、
前記電池部の温度と出力の制御を行うための制御情報とが対応付けられた第１のテーブルと、前記電池部の電圧と出力の制御を行うための制御情報とが対応付けられた第２のテーブルとを参照して出力の制御を行い、
前記電池部の温度に対応して設定される複数の前記第２のテーブルの中から、前記温度検出部により検出された温度情報に対応する第２のテーブルを参照する
（１１）に記載の制御方法。
（１３）
前記制御部は、出力の制御として、オーティオ信号のレベルを変更する
（１１）に記載の制御方法。
（１４）
前記制御部は、出力の制御として、オーディオ信号のレベルが閾値以上の場合に、当該オーディオ信号のレベルを前記閾値内に圧縮する
（１１）に記載の制御方法。
【符号の説明】
【００７４】
１・・・オーディオ信号再生装置
１０・・・制御部
１１・・・デジタル信号処理部
１６・・・通信部
２１・・・電池部
２２Ａ・・・電圧検出部
２２Ｃ・・・温度検出部
【図１】
2018135182.tif 000003
【図２】
2018135182.tif 000004
【図３】
2018135182.tif 000005
【図４】
2018135182.tif 000006
【図５】
2018135182.tif 000007
【図６】
2018135182.tif 000008
【図７】
2018135182.tif 000009
【図８】
2018135182.tif 000010
【図９】
2018135182.tif 000011
【図１０】
2018135182.tif 000012
【図１１】
2018135182.tif 000013
【国際調査報告】
2018135182.tif 000014
2018135182.tif 000015
2018135182.tif 000016
2018135182.tif 000017